(57)【特許請求の範囲】
【請求項１】
フロントと、
前記フロントに対し折り畳み自在なテンプルと、
前記テンプルが前記フロントに接触するまで折り畳まれるときの前記テンプルの前記フロントに対する第１位置よりも、前記テンプルが前記フロント側にさらに近づけられた第２位置で前記テンプルと前記フロントを係止める係止機構と、
を備え、
前記テンプルは、
折り畳まれる際に、前記テンプルと前記フロントとの連結部にある回動軸周りに回動し、
前記係止機構は、
前記連結部の前記テンプル側に設けられた第１係止部と、前記連結部の前記フロント側に設けられた第２係止部とを有し、前記第１係止部と前記第２係止部が互いに係止されて、前記テンプルと前記フロントを係止する機構であり、
前記第１位置の前記テンプルをさらに回動させることにより、前記テンプルと前記フロントが係止されるように構成されている、アイウエア。
【請求項２】
前記第１係止部は、前記連結部の前記テンプルの回動軸周辺に設けられ、
前記第２係止部は、前記連結部の前記フロントにおける前記回動軸周辺に対向する位置に設けられる、請求項１に記載のアイウエア。
【請求項３】
前記第１係止部は、
凹部又は凸部を有し、
前記第２係止部は、
前記第１係止部の凸部に係止めされる凸部、前記第１係止部の凸部に嵌合する凹部、又は前記第１係止部の凹部に嵌合する凸部を有する、請求項１又は２記載のアイウエア。
【請求項４】
前記係止機構は、
前記テンプルに対し折り畳む方向と逆の方向に外力を付与することより、前記テンプルと前記フロントとの係止が解除可能に構成されている、請求項１乃至３いずれか一項に記載のアイウエア。
【請求項５】
前記フロントは、
前記アイウエアの前方向に凸の湾曲形状を有し、
前記テンプルは、
前記係止機構により、前記フロントの湾曲形状に沿った湾曲形状に変形して前記フロントに係止される、請求項１乃至４いずれか一項に記載のアイウエア。
【発明の詳細な説明】
【技術分野】
【０００１】
本発明は、アイウエアに関する。
【背景技術】
【０００２】
従来、コンパクトに折り畳むことで薄型化することができるメガネがある。例えば、折畳まれるツル（テンプル）は、フロント部の裏側に重なり合うことなく、フロント部の上側に配置され、折り畳まれたツルとフロント部は同一面に位置するメガネがある（特許文献１参照）。
【先行技術文献】
【特許文献】
【０００３】
【特許文献１】特開２００９−０６９３５６号公報
【発明の概要】
【発明が解決しようとする課題】
【０００４】
しかしながら、特許文献１に記載のメガネのように、折り畳んだテンプルをフロント部の上側に配置するような特殊形状のテンプルを用いるため着用感が悪く、かつ折り畳んだ際にテンプルを止めておく機構がないため、テンプルは自由に回動してしまい、折り畳んだ状態でのメガネの安定性が悪かった。
【０００５】
そこで、本発明は、通常形状のテンプルにも適用可能であり、折り畳んだ状態での安定性を向上させ、かつ薄型化することができるアイウエアを提供することを目的とする。
【課題を解決するための手段】
【０００６】
本発明の一態様におけるアイウエアは、フロントと、前記フロントに対し折り畳み自在なテンプルと、前記テンプルが前記フロントに接触するまで折り畳まれるときの前記テンプルの前記フロントに対する第１位置よりも、前記テンプルが前記フロント側にさらに近づけられた第２位置で前記テンプルと前記フロントを係止める係止機構と、を備える。
【０００７】
また、前記係止機構は、前記テンプル側に設けられた第１係止部と、前記フロント側に設けられた第２係止部とを有し、前記第１係止部と前記第２係止部が互いに係止されて、前記テンプルと前記フロントを係止する機構であってもよい。
【０００８】
また、前記テンプルは、折り畳まれる際に、前記テンプルと前記フロントとの連結部にある回動軸周りに回動し、前記係止機構は、前記第１位置の前記テンプルをさらに回動させることにより、前記テンプルと前記フロントが係止されるように構成されてもよい。
【０００９】
また、前記第１係止部は、前記テンプルの回動周辺に設けられ、前記第２係止部は、前記フロントにおける前記回動軸周辺に対向する位置に設けられてもよい。
【００１０】
また、前記第１係止部は、凹部又は凸部を有し、前記第２係止部は、前記第１係止部の凸部に係止めされる凸部、前記第１係止部の凸部に嵌合する凹部、又は前記第１係止部の凹部に嵌合する凸部を有してもよい。
【００１１】
また、前記係止機構は、前記テンプルに対し折り畳む方向と逆の方向に外力を付与することより、前記テンプルと前記フロントとの係止が解除可能に構成されてもよい。
【００１２】
また、前記フロントは、前記アイウエアの前方向に凸の湾曲形状を有し、
【００１３】
また、前記テンプルは、前記係止機構により、前記フロントの湾曲形状に沿った湾曲形状に変形して前記フロントに係止されてもよい。
【発明の効果】
【００１４】
本発明によれば、通常形状のテンプルにも適用可能であり、折り畳んだ状態での安定性を向上させ、かつ薄型化することができる。
【図面の簡単な説明】
【００１５】
【図１】実施例におけるメガネの一例を示す正面図である。
【図２】実施例におけるメガネの一例を示す側面図である。
【図３】実施例におけるメガネの一例を示す上面図である。
【図４】実施例におけるメガネ着用時における係止機構のＡ−Ａ端面の一例を示す拡大図である。
【図５】実施例におけるメガネを折り畳んだ状態Ａを示す図である。
【図６】状態Ａにおける係止機構のＡ−Ａ端面の一例を示す図である。
【図７】実施例におけるメガネを折り畳んだ状態Ｂを示す図である。
【図８】状態Ｂにおける係止機構のＡ−Ａ端面の一例を示す図である。
【図９】変形例１における係止機構の一例を示す端面図である。
【図１０】変形例２における係止機構の一例を示す端面図である。
【発明を実施するための形態】
【００１６】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１７】
［実施例］
図１〜３を用いて、メガネ全体の構造について説明する。図１は、実施例におけるメガネ１００の一例を示す正面図である。図２は、実施例におけるメガネ１００の一例を示す側面図である。図３は、実施例におけるメガネ１００の一例を示す上面図である。
【００１８】
図１〜３に示すメガネ１００は、アイウエアの一例であり、レンズ１１０及びフレーム１２０を備える。フレーム１２０は、例えば、テンプル１３０と、モダン１３２と、フロント１７０とを有する。
【００１９】
フロント１７０は、一対のレンズ１１０を支持する。また、フロント１７０は、例えば、リム１２２と、眉間部（例えばブリッジ）１２４と、ヨロイ１２６と、丁番１２８と、一対のノーズパッド１４０とを有する。なお、一対のレンズ１１０は、必ずしも必要な構成ではない。
【００２０】
なお、メガネ１００の種類によっては、一枚レンズを用いることでフレームのブリッジ部分がない場合がある。この場合、一枚レンズの眉間部分を眉間部とする。
【００２１】
一対のノーズパッド１４０は、右ノーズパッド１４２及び左ノーズパッド１４４を含む。リム１２２、ヨロイ１２６、丁番１２８、テンプル１３０、及びモダン１３２は、それぞれ左右一対に設けられる。なお、丁番１２８は、ネジを使用するものに限られず、例えばバネを使用するものであってもよい。
【００２２】
リム１２２は、レンズ１１０を保持する。ヨロイ１２６は、リム１２２の外側に設けられ、丁番１２８によりテンプル１３０を回転可能に保持する。テンプル１３０は、使用者の耳の上部を押圧して、この部位を挟持する。モダン１３２は、テンプル１３０の先端に設けられる。モダン１３２は、使用者の耳の上部に接触する。なお、モダン１３２は、必ずしもメガネ１００に必要は構成ではない。
【００２３】
図３に示すように、実施例におけるメガネ１００は、フロント１７０とテンプル１３０との連結部に、係止機構１５０を備える。係止機構１５０は、テンプル１３０をフロント１７０側に折り畳んだ場合に、折り畳んだ状態で安定するように係止めする機構である。さらに、係止機構１５０は、メガネ１００を折り畳んだ際の薄型化を実現するため、テンプル１３０を折り畳んだ通常の位置よりもさらにフロント１７０に近づけて折り畳み、その位置でテンプル１３０とフロント１７０とを係止めする機構を有する。テンプルを折り畳んだ通常の位置とは、一方のテンプルがフロントに接触し、他方のテンプルが一方のテンプルに接触して折り畳まれている状態（例えば後述する図５の状態）をいう。
【００２４】
図４は、実施例におけるメガネ１００着用時における係止機構１５０のＡ−Ａ端面の一例を示す拡大図である。以降に説明する端面は、図１に示すＡ−Ａ端面を示す。図４に示す例では、係止機構１５０は、テンプル１３０側に設けられた第１係止部１６２と、フロント１７０側に設けられた第２係止部１６４とを有する。
【００２５】
第１係止部１６２又は第２係止部１６４は、テンプル１３０が折り畳まれる際に、テンプル１３０とフロント１７０との連結部にある回動軸周りに回動する。連結部は、例えばヨロイ１２６、丁番１２８を含む。図４に示す例では、第１係止部１６２は、第１凸部であり、第２係止部１６４は、第２凸部である。
【００２６】
図５は、実施例におけるメガネ１００を折り畳んだ状態Ａを示す図である。図５に示す状態Ａは、テンプル１３０がフロント１７０に接触するまで、テンプル１３０がフロント１７０側に折り畳まれた状態を示す。この状態Ａにあるときのテンプル１３０のフロント１７０に対する位置を第１位置とする。状態Ａでは、少なくとも一方のテンプル１３０がフロント１７０に接触していればよく、他方のテンプルは、一方のテンプルに接触されていればよい。この状態Ａにあるときの係止機構１５０については、図６を用いて説明する。
【００２７】
また、フロント１７０は、例えば顔面に沿うように湾曲している、つまり、フロント１７０は、メガネ１００の前方向に凸の湾曲形状を有しているが、この例に限られない。テンプル１３０は、例えば、耳にフィットするように湾曲しているが、この例に限られない。図５に示すように、テンプル１３０を第１位置まで折り畳んだ際、フロント１７０の湾曲方向と、テンプル１３０の湾曲方向とは逆であることが分かる。
【００２８】
上述したように、フロント１７０とテンプル１３０とを湾曲させることで、従来技術のようにフロント１７０又はテンプル１３０が直線状に形成される場合に比べて、メガネ１００を着用した際の着用感が損なわれない。さらに、フロント１７０とテンプル１３０とを湾曲させることで、メガネ１００を着用した際のデザイン性も維持することができる。
【００２９】
図６は、状態Ａにおける係止機構１５０のＡ−Ａ端面の一例を示す図である。図６に示す例では、第１係止部１６２と第２係止部１６４とが接触しているが、状態Ａにおいて、第１係止部１６２と第２係止部１６４とは接触している必要はない。図６に示すように、第１係止部１６２は、テンプル１３０が開く方向において障害となる部材はないため、テンプル１３０は、丁番１２８に含まれる軸を回動軸にして、開く方向に容易に回動する。
【００３０】
図７は、実施例におけるメガネ１００を折り畳んだ状態Ｂを示す図である。図７に示す状態Ｂは、図５に示すテンプル１３０の第１位置よりも、テンプル１３０がフロント１７０側にさらに近づいた第２位置にある状態を示す。この状態Ｂであるときの係止機構１５０については、図８を用いて説明する。
【００３１】
また、図７に示すメガネ１００は、最終的に折り畳んだ状態を示す。図７に示すメガネ１００は、図５に示すメガネ１００よりも薄く折り畳むことができている。図７に示すテンプル１３０が、係止機構１５０により図７に示す状態で係止めされる。
【００３２】
図８は、状態Ｂにおける係止機構１５０のＡ−Ａ端面の一例を示す図である。図８に示すように、第１係止部１６２が、テンプル１３０を開く方向において、第２係止部１６４に係止めされている。図８に示すように、第１係止部１６２は、テンプル１３０が開く方向において係止めされているため、テンプル１３０は、丁番１２８の軸を回動軸にして開く方向に容易に回動しない。
【００３３】
また、係止機構１５０は、第１位置にあるテンプル１３０とフロント１７０とをさらに近づける外力（外力Ａともいう。）により、第１係止部１６２と、第２係止部１６４とが互いに係止めされる機構となっている。また、係止機構１５０は、テンプル１３０とフロント１７０とを遠ざける外力（外力Ｂともいう。）により、第１係止部１６２と第２係止部１６４との係止が解除可能に構成されている。これにより、メガネ１００を折り畳んだ状態で安定させることができる。また、係止機構１５０は、通常の折り畳み動作である、テンプル１３０の回動の一環として、係止／解除を行うことができ、使用者に対し、煩雑な動作を必要としない。
【００３４】
例えば、外力Ａは、使用者がテンプル１３０をフロント１７０側に押す力であり、外力Ｂは、メガネ１００が最終的に折り畳まれた状態から、使用者がテンプル１３０をフロント１７０から離す力である。
【００３５】
また、図７に示すように、テンプル１３０は、フロント１７０の湾曲形状に沿った湾曲形状に変形してフロント１７０に係止されてもよい。一方向に湾曲したテンプル１３０は、逆方向にも湾曲することを可能とする。
【００３６】
このとき、テンプル１３０は、図５に示す湾曲状態（通常の湾曲状態ともいう。）とは逆方向に湾曲することになるため、通常の湾曲状態に戻ろうとする力が生じる場合がある。係止機構１５０は、通常の湾曲状態に戻ろうとする力を抑え込むことが可能なようにテンプル１３０とフロント１７０とを係止める機構にすればよい。
【００３７】
例えば、第１係止部１６２の凸と、第２係止部１６４の凸との突起部分をさらに高くすることで、外力Ａや外力Ｂがより必要なようにし、テンプル１３０が通常の湾曲状態に戻ろうとする力を抑え込む。
【００３８】
また、図３〜８に示すように、テンプル１３０は、回動軸周りに回動する回動部を有し、第１係止部１６２は、テンプル１３０の回動部に設けられる構成にする。テンプル１３０の回動部は、丁番１２８や第１係止部１６２を含む、回動軸周辺部である。また、第２係止部１６４は、フロント１７０における回動部（回動軸周辺部）に対向する位置に設けられる構成にする。よって、係止機構１５０は、テンプル１３０が折り畳まれるとき、回動軸回りにテンプル１３０が回動することで、第１係止部１６２と、第２係止部１６４とが係止めされる機構である。これにより、メガネ１００を折り畳む方向に回動させながら、そのまま第１係止部１６２と第２係止部１６４とを係止めさせることができる。
【００３９】
また、図７に示すように、係止機構１５０は、テンプル１３０がフロント１７０の形状に沿って係止めされる機構であってもよい。これにより、メガネ１００を折り畳んだときのさらなる薄型化を図ることができる。
【００４０】
以上、実施例におけるメガネ１００は、上述した係止機構１５０を設けることで、通常のテンプルの形状にも適用でき、折り畳んだ状態での安定性を向上させ、かつ薄型化することができる。
【００４１】
［変形例］
次に、上述したメガネ１００の係止機構１５０の変形例について説明する。図９は、変形例１における係止機構１５２の一例を示す端面図である。上述した実施例とは、第１係止部１６６及び第２係止部１６８の形状が異なる。図９（Ａ）は、着用時の係止機構１５２の端面を示す。図９（Ｂ）は、最後まで折り畳んだ際の係止機構１５２の端面を示す。
【００４２】
図９に示す変形例１では、第１係止部１６６及び第２係止部１６８は、より丸みを帯びた凸形状になっている。テンプル１３０が最後まで折り畳まれた際に、通常の湾曲に戻ろうとする力が弱い時には、図９に示す機構にし、係止機構１５２の摩耗による劣化の防止を図ることができる。
【００４３】
図１０は、変形例２における係止機構１５４の一例を示す端面図である。上述した実施例や変形例１とは、第１係止部１７２及び第２係止部１７４の形状が異なる。図１０（Ａ）は、着用時の係止機構１５４の端面を示す。図１０（Ｂ）は、最後まで折り畳んだ際の係止機構１５４の端面を示す。
【００４４】
図１０に示す変形例２では、第１係止部１７２及び第２係止部１７４は、より尖った形状になっている。テンプル１３０が最後まで折り畳まれた際に、通常の湾曲状態に戻ろうとする力が強い時には、図１０に示す機構にし、係止機構１５４の係止めの係止力を強くすることができる。
【００４５】
また、図示しない変形例３において、係止機構は、テンプル１３０側の第１係止部として凸部、フロント１７０側の第２係止部として凹部を適用してもよい。この場合、テンプル１３０が折り畳まれるときに、第１位置から第２位置へテンプル１３０をさらに回動させることで、この凹凸が嵌合することにより、テンプル１３０とフロント１７０とが係止される機構としてもよい。なお、第１係止部が凹部、第２係止部が凸部としてもよい。
【００４６】
また、図示しない変形例４において、係止機構は、リム１２２上部の顔面側に下向きのフック部を設け、このフック部に、折り畳んだテンプル１３０を引っ掛けることで、テンプル１３０とフロント１７０とが係止される機構としてもよい。このフック部は、テンプル１３０を折り畳むときに、テンプル１３０を下に移動させて回動させながら引っ掛けて係止めることができる構成にするとよい。テンプル１３０をフロント１７０から離す方向に回動させるときには、このフック部に対して下に移動させて係止めを解除して回動させるとよい。なお、フック部は、視界を遮らないよう、できるだけフロント１７０のテンプル１３０側、例えば丁番１２８周辺に設けるとよいが、眉間部１２４などにあってもよい。
【００４７】
なお、上述したメガネとしては、普段は持ち歩いて収納しておき、使用するときだけ着用するようなメガネに好適である。このようなメガネとしては、例えば老眼鏡がある。また、上述した係止機構が多段階で設けられてもよく、係止力を強化してもよい。
【００４８】
以上、本発明について実施例及び変形例を用いて説明したが、本発明の技術的範囲は上記実施例及び変形例に記載の範囲には限定されない。上記実施例及び変形例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００４９】
１００  メガネ
１３０  テンプル
１５０  係止機構
１６２  第１係止部
１６４  第２係止部
１７０  フロント
【図１】
0006445301.tif 000002
【図２】
0006445301.tif 000003
【図３】
0006445301.tif 000004
【図４】
0006445301.tif 000005
【図５】
0006445301.tif 000006
【図６】
0006445301.tif 000007
【図７】
0006445301.tif 000008
【図８】
0006445301.tif 000009
【図９】
0006445301.tif 000010
【図１０】
0006445301.tif 000011